(57)【要約】【課題】光ディスクへの記録中に記録不可能なデータが発生した場合に、データを修復することが可能な情報記録装置を提供する。【解決手段】光ディスクドライブに装填される光ディスクに時系列変化する入力データを記録する情報記録装置が提供される。上記情報記録装置は、光ディスクドライブに装填された第１の光ディスクへの記録が可能か否かを判定する記録可否判定部１２３と、記録可否判定部１２３によって記録可能と判定された期間に入力される入力データを第１の光ディスクに記録し、記録不可と判定された期間に入力される入力データを代替記録媒体に記録する記録部１２２と、第１の光ディスクに記録された第１の記録データと代替記録媒体に記録された第２の記録データとを読み出し、光ディスクドライブに装填された第２の光ディスクに第１の記録データと第２の記録データとを記録する記録修復部１２４と、を備えることを特徴とする。【選択図】図２
2009080880.tif 000002
【特許請求の範囲】
【請求項１】
光ディスクドライブを備え、前記光ディスクドライブに装填される光ディスクに時系列変化する入力データを記録する情報記録装置であって、
前記光ディスクドライブに装填された第１の光ディスクへの記録が可能か否かを判定する記録可否判定部と、
前記記録可否判定部によって記録可能と判定された期間に入力される入力データを前記第１の光ディスクに記録し、前記記録可否判定部によって記録不可と判定された期間に入力される入力データを前記第１の光ディスクの代替となる代替記録媒体に記録する記録部と、
前記第１の光ディスクに記録された第１の記録データと前記代替記録媒体に記録された第２の記録データとを読み出し、前記光ディスクドライブに装填された第２の光ディスクに前記第１の記録データと前記第２の記録データとを記録する記録修復部と、
を備えることを特徴とする、情報記録装置。
【請求項２】
前記記録部は、前記第１の光ディスクにおける前記第１の記録データの記録位置と、前記第２の記録データが記録されるべき前記第１の光ディスクの記録位置とを前記代替記録媒体に記録し、
前記記録修復部は、前記代替記録媒体に記録された前記第１及び第２の記録データそれぞれの記録位置に基づいて、前記第１及び第２の記録データを前記第２の光ディスクに記録することを特徴とする、請求項１に記載の情報記録装置。
【請求項３】
前記記録部は、前記第１の記録データの記録終了後から前記第１の光ディスクが前記光ディスクドライブから排出されるまでの間に、前記第１の記録データの記録位置を前記代替記録媒体に記録することを特徴とする、請求項２に記載の情報記録装置。
【請求項４】
前記代替記録媒体は、不揮発性記録媒体であることを特徴とする、請求項１に記載の情報記録装置。
【請求項５】
前記代替記録媒体は、前記情報記録装置に対し着脱可能であることを特徴とする、請求項１に記載の情報記録装置。
【請求項６】
光ディスクドライブを備える情報記録装置において、前記光ディスクドライブに装填される光ディスクに時系列変化する入力データを記録する情報記録方法であって、
前記光ディスクドライブに装填された第１の光ディスクへの記録が可能か否かを判定する記録可否判定段階と、
前記記録可否判定段階において記録可能と判定された期間に入力される入力データを前記第１の光ディスクに記録する記録段階と、
前記記録可否判定段階において記録不可と判定された期間に入力される入力データを前記第１の光ディスクの代替となる代替記録媒体に記録する代替記録段階と、
前記第１の光ディスクに記録された第１の記録データと前記代替記録媒体に記録された第２の記録データとを読み出す段階と、
前記光ディスクドライブに装填された第２の光ディスクに前記第１の記録データと前記第２の記録データとを記録する記録修復段階と、
を含むことを特徴とする、情報記録方法。
【請求項７】
前記記録段階の後で、前記第１の光ディスクにおける前記第１の記録データの記録位置を前記代替記録媒体に記録する段階と、
前記代替記録段階の後で、前記第２の記録データが記録されるべき前記第１の光ディスクの記録位置を前記代替記録媒体に記録する段階と、
をさらに含み、
前記記録修復段階において、前記代替記録媒体に記録された前記第１及び第２の記録データそれぞれの記録位置に基づいて、前記第１及び第２の記録データを前記第２の光ディスクに記録することを特徴とする、請求項６に記載の情報記録方法。
【請求項８】
前記第１の記録データの記録位置を前記代替記録媒体に記録する段階は、前記記録段階終了後から前記第１の光ディスクが前記光ディスクドライブから排出されるまでの間に実行されることを特徴とする、請求項７に記載の情報記録方法。
【請求項９】
前記代替記録媒体は、不揮発性記録媒体であることを特徴とする、請求項６に記載の情報記録方法。
【請求項１０】
前記代替記録媒体は、前記情報記録装置に対し着脱可能であることを特徴とする、請求項６に記載の情報記録方法。
【発明の詳細な説明】
【技術分野】
【０００１】
本発明は、情報記録装置及び情報記録方法に関する。
【背景技術】
【０００２】
例えばＤＶＤビデオカメラ機器においてＤＶＤ等の光ディスクへの記録動作中に、衝撃等の影響でフォーカスサーボ、トラッキングサーボの掛け直し、シーク処理等が必要となる。このような状態が著しく発生すると、記録データのバッファオーバーフローが発生する。
【０００３】
特許文献１には、光ディスクに記録できなかったデータを不揮発性メモリに代替的に記録し、その後、例えば撮影終了時や間欠休止時に、代替記録された不揮発性メモリからその光ディスクの所望の箇所に記録しなおす方法が記載されている。
【０００４】
また、光ディスクに記録できないことは衝撃等の影響だけでなく、光ディスクに大きな傷や汚れ等が存在することにより、所望の位置にアクセスすることができない等の理由により発生する場合もある。このような場合に、ＤＶＤ−ＲＡＭメディアでは、欠陥等により記録再生に相応しくない箇所があると、メディアの規格において、同メディア内のＤＭＡ（Ｄｅｆｅｃｔ  Ｍａｎａｇｅｍｅｎｔ  Ａｒｅａ）にデータを退避させることができる手段を持つ。また、ファイルシステム層においては、重要なデータを同メディア内の別の領域に退避することができる。
【０００５】
【特許文献１】特開２００５−１７５５６７号公報
【発明の開示】
【発明が解決しようとする課題】
【０００６】
上述したような方法により、衝撃やディスク自体の傷や汚れ等の影響で記録不可能なデータが発生した場合、修復することが可能である。しかし、ディスク上の決められた場所に、所定のデータを記録しなくてはならない場合、上記のような方法を用いることができない。このようなデータの例には、例えば、ＤＶＤメディアの管理情報が挙げられる。
【０００７】
図５は、ＤＶＤメディアの記録領域の構成を示した図である。図５に示すようにＤＶＤメディアの記録領域には、ユーザがデータを書き込みできるユーザ領域と、ユーザ領域を挟んでリードイン領域及びリードアウト領域が存在する。リードイン領域は、メディアの先頭に位置するメディア固有の管理情報が記録された領域で、ドライブは、リードイン領域に記録された情報を最初に読み取ることによってディスクを認識する。
【０００８】
図６は、各ＤＶＤメディアのリードイン領域の構成の一部を示した図である。上述のディスク上の決められた場所に記録しなくてはならないデータの一例として、リードイン領域に記録される情報の１つであるコントロールデータ領域について説明する。
【０００９】
図６に示すように、コントロールデータ領域は、ＤＶＤ−ＲＯＭをはじめとする全てのＤＶＤメディアのリードイン領域内の同じ領域に存在する。コントロールデータとは、そのメディアに関する情報の集まりであり、その中に、ブックタイプ（Ｂｏｏｋ  Ｔｙｐｅ）と呼ばれるメディアの種類を示すデータ領域がある。ＤＶＤプレーヤやＤＶＤレコーダは、コントロールデータ領域のデータを取得することによって、メディア種別等の情報を入手する。
【００１０】
ＤＶＤ−ＲＯＭ、ＤＶＤ−ＲＡＭ、ＤＶＤ−Ｒ、ＤＶＤ−ＲＷについては、一般消費者が購入した際にコントロールデータが既に存在しているが、ＤＶＤ＋Ｒ、ＤＶＤ＋ＲＷについては、データ記録時にＤＶＤレコーダ等によってメディアへ書き込まれる。また、コントロールデータは、代替エリアを持たないため、ＤＶＤビデオカメラ等において、衝撃やメディアの傷、汚れ等の影響でコントロールデータが記録できないと、ＤＶＤを再生する際にそれまで撮影した映像や音声が再生できない状況に陥ってしまう。
【００１１】
そこで、本発明は、上記問題に鑑みてなされたものであり、本発明の目的とするところは、光ディスクへの記録中に衝撃やメディアの傷、汚れ等の影響で記録不可能なデータが発生した場合に、データを修復することが可能な、新規かつ改良された情報記録装置及び情報記録方法を提供することにある。
【課題を解決するための手段】
【００１２】
上記課題を解決するために、本発明のある観点によれば、光ディスクドライブを備え、光ディスクドライブに装填される光ディスクに時系列変化する入力データを記録する情報記録装置であって、光ディスクドライブに装填された第１の光ディスクへの記録が可能か否かを判定する記録可否判定部と、記録可否判定部によって記録可能と判定された期間に入力される入力データを第１の光ディスクに記録し、記録可否判定部によって記録不可と判定された期間に入力される入力データを第１の光ディスクの代替となる代替記録媒体に記録する記録部と、第１の光ディスクに記録された第１の記録データと代替記録媒体に記録された第２の記録データとを読み出し、光ディスクドライブに装填された第２の光ディスクに第１の記録データと第２の記録データとを記録する記録修復部と、を備える情報記録装置が提供される。
【００１３】
かかる構成によれば、コントロールデータのように、記録に失敗したデータを代替記録するための別の領域を持たないデータであっても記録を修復することができ、従来の方法では修復ができなかったような場合においてもディスクのデータを修復することが可能となる。
【００１４】
また、記録部は、第１の光ディスクにおける第１の記録データの記録位置と、第２の記録データが記録されるべき第１の光ディスクの記録位置とを代替記録媒体に記録し、記録修復部は、代替記録媒体に記録された第１及び第２の記録データそれぞれの記録位置に基づいて、第１及び第２の記録データを第２の光ディスクに記録するようにしてもよい。
【００１５】
また、記録部は、第１の記録データの記録終了後から第１の光ディスクが光ディスクドライブから排出されるまでの間に、第１の記録データの記録位置を代替記録媒体に記録するようにしてもよい。
【００１６】
また、代替記録媒体は、不揮発性記録媒体であってもよい。
【００１７】
また、代替記録媒体は、情報記録装置に対し着脱可能であってもよい。
【００１８】
また、上記課題を解決するために、本発明の別の観点によれば、光ディスクドライブを備える情報記録装置において、光ディスクドライブに装填される光ディスクに時系列変化する入力データを記録する情報記録方法であって、光ディスクドライブに装填された第１の光ディスクへの記録が可能か否かを判定する記録可否判定段階と、記録可否判定段階において記録可能と判定された期間に入力される入力データを第１の光ディスクに記録する記録段階と、記録可否判定段階において記録不可と判定された期間に入力される入力データを第１の光ディスクの代替となる代替記録媒体に記録する代替記録段階と、第１の光ディスクに記録された第１の記録データと代替記録媒体に記録された第２の記録データとを読み出す段階と、光ディスクドライブに装填された第２の光ディスクに第１の記録データと第２の記録データとを記録する記録修復段階と、を含む情報記録方法が提供される。
【００１９】
かかる構成によれば、コントロールデータのように、記録に失敗したデータを代替記録するための別の領域を持たないデータであっても記録を修復することができ、従来の方法では修復ができなかったような場合においてもディスクのデータを修復することが可能となる。
【００２０】
また、記録段階の後で、第１の光ディスクにおける第１の記録データの記録位置を代替記録媒体に記録する段階と、代替記録段階の後で、第２の記録データが記録されるべき第１の光ディスクの記録位置を代替記録媒体に記録する段階と、をさらに含み、記録修復段階において、代替記録媒体に記録された第１及び第２の記録データそれぞれの記録位置に基づいて、第１及び第２の記録データを第２の光ディスクに記録するようにしてもよい。
【００２１】
また、第１の記録データの記録位置を代替記録媒体に記録する段階は、記録段階終了後から第１の光ディスクが光ディスクドライブから排出されるまでの間に実行されるようにしてもよい。
【００２２】
また、代替記録媒体は、不揮発性記録媒体であってもよい。
【００２３】
また、代替記録媒体は、情報記録装置に対し着脱可能であってもよい。
【発明の効果】
【００２４】
以上説明したように本発明によれば、衝撃やメディアの傷、汚れ等の影響で記録不可能なデータが発生した場合に、データを修復することが可能となる。
【発明を実施するための最良の形態】
【００２５】
以下に添付図面を参照しながら、本発明の好適な実施の形態について詳細に説明する。なお、本明細書及び図面において、実質的に同一の機能構成を有する構成要素については、同一の符号を付することにより重複説明を省略する。
【００２６】
まず、図１、２を参照して、本発明の一実施形態にかかる情報記録装置について説明する。図１は、本発明の一実施形態にかかる情報記録装置としてのＤＶＤビデオカメラ１００の概略構成を示す図である。図１に示すように、本実施形態のＤＶＤビデオカメラ１００は、カメラ部１１０と、記録再生処理部１２０と、制御部１３０とにより構成される。図２は、ＤＶＤビデオカメラ１００の記録再生処理部１２０の概略構成を示す図である。
【００２７】
カメラ部１１０は、光学ブロック１１１と、カメラ制御部１１２と、信号変換器１１３と、撮像信号処理部１１４と、音声入力部１１５と、音声信号処理部１１６とを備える。光学ブロック１１１は、被写体を撮像するためのレンズ群、絞り調整機構、フォーカス調整機構、ズーム機構、シャッター機構、フラッシュ機構等を内部に備える。カメラ制御部１１２は、制御部１３０から制御信号を受けて光学ブロック１１１に供給する制御信号を生成し、ズーム制御、シャッター制御、露出制御等の制御を行う。
【００２８】
信号変換器１１３は、例えば、ＣＣＤ（Ｃｈａｒｇｅ  Ｃｏｕｐｌｅｄ  Ｄｅｖｉｃｅ）等の撮像素子により構成され、その結像面に光学ブロック１１１を通じた像が結像される。この信号変換器１１３は、シャッター操作に応じて制御部１３０から供給される画像取り込みタイミング信号を受けて、結像面に結像されている被写体像を撮像信号に変換し、撮像信号処理部１１４に供給する。
【００２９】
撮像信号処理部１１４は、制御部３０からの制御信号に基づいて、撮像信号についてのガンマ補正やＡＧＣ（Ａｕｔｏ  Ｇａｉｎ  Ｃｏｎｔｒｏｌ）等の処理を行うとともに、撮像信号をデジタル信号としての画像信号に変換する処理を行う。音声入力部１１５は、撮影時の被写体周辺の音声を収集し、音声信号として音声信号処理部１１６に入力する。音声信号処理部１１６は、制御部１３０からの信号に基づいて音声信号の補正やＡＧＣ等の処理を行うとともに、音声信号をデジタル信号に変換する処理を行う。
【００３０】
記録再生処理部１２０は、図２に示すように、符号化／復号回路１２１と、記録再生部１２２と、記録可否判定部１２３と、記録復元部１２４と、ディスクインターフェース１２５と、出力処理部１２６と、バッファメモリ１２７と、不揮発性メモリ１２８と、を備える。
【００３１】
符号化／復号回路１２１は、カメラ部１１０からの画像信号及び音声信号や追加記録情報を符号化し、多重化して圧縮データに変換する符号化機能を有する。一方、符号化／復号回路１２１は、圧縮データから画像信号及び音声信号や追加記録情報を分離して復号する復号機能を有する。また、符号化／復号回路１２１は、制御部１３０からの制御信号に基づき、撮像信号処理部１１４からの画像信号に対して、自動ホワイトバランス制御、露出補正制御、デジタルズーム倍率に応じた拡大制御等をさらに行う。
【００３２】
記録再生部１２２は、符号化／復号回路１２１から出力される圧縮データを、ディスクドライブ（図示せず）に装填されたディスク１４９にディスクインターフェース１２５を通じて記録する。また、ディスクインターフェース１２５を通じてディスク１４９から読み出した圧縮データを符号化／復号回路に供給し、再生されるようにする。また、記録再生部１２２は、ディスク１４９への記録時に、記録可否判定部１２３によるディスク１４９の記録可否判定の結果に応じて、記録先を変更する。具体的には、記録再生部１２２は、記録可否判定部１２３によってディスク１４９に記録可能と判定された場合には、ディスクインターフェース１２５を通じてディスク１４９への記録を行う。一方、記録可否判断部１２３によってディスク１４９に記録不可と判定された場合には、圧縮データを不揮発性メモリ１２８に代替記録する。
【００３３】
さらに、記録再生部１２２は、不揮発性メモリ１２８に代替記録された圧縮データが、ディスク１４９のどの位置に記録されるデータであったかを示すアドレス情報／範囲情報を不揮発性メモリ１２８に記録する。また、ディスク１４９への記録終了後に、ディスク１４９に正しく記録することができたデータの記録位置を示すアドレス情報／範囲情報を不揮発性メモリ１２８に記録する。なお、ここでは、ディスク１４９に記録できなかった圧縮データ、圧縮データの記録位置、ディスク１４９に正しく記録されているデータの記録位置の情報を不揮発性メモリ１２８に記録するものとしたが、かかる例に限らず、例えば、メモリカードインターフェース１３７を介してメモリカード１４３等の記憶媒体に記録するようにしてもよい。
【００３４】
記録可否判定部１２３は、記録再生部１２２によってディスク１４９への記録が行われる際に、ディスク１４９への記録が可能か否かを判定し、判定結果を記録再生部１２２に伝達する。例えば、ＤＶＤビデオカメラ１００に振動や衝撃が加えられ、加速度センサ（図示せず）等によって検出された加速度が正常な記録動作の保証範囲を超えた場合、記録可否判定部１２３は、ディスク１４９への記録不可と判定する。あるいは、ディスク１４９の記録位置に傷や汚れ等、記録動作の妨げとなる要因が存在することが検出された場合、記録可否判定部１２３は、ディスク１４９への記録不可と判定する。
【００３５】
記録復元部１２４は、記録再生部１２２によってディスク１４９と不揮発性メモリ１２８とにそれぞれ記録された圧縮データを読み出し、別のディスクに記録する。具体的には、記録復元部１２４は、まず、ディスク１４９と不揮発性メモリ１２８とにそれぞれ記録された圧縮データを読み出して、例えば、バッファメモリ１２７やメモリカード１４３に記録する。次に、記録復元部１２４は、ディスクドライブ（図示せず）に別のブランクディスクが装填されたことを確認した後、不揮発性メモリ１２８に記憶されているデータの記録位置の情報を参照して、ディスク１４９と不揮発性メモリ１２８とからそれぞれ読み出した圧縮データを新しいディスクの正しい位置に記録する。
【００３６】
ディスクインターフェース１２５は、記録再生部１２２または記録復元部１２４から圧縮データを受けてディスク１４９に書き込む。また、ディスクインターフェース１２５は、ディスク１４９から圧縮データを読み出して記録再生部１２２または記録復元部１２４に供給する。出力処理部１２６は、制御部１３０からの制御により、符号化／復号回路１２１からの圧縮データを制御部１３０や出力端子１２９に供給する。バッファメモリ１２７は、例えば、ＳＤＲＡＭ等により構成され、符号化／復号回路１２１における符号化／復号処理や、記録復元部１２４におけるディスクの記録復元処理のための作業領域として利用される。
【００３７】
不揮発性メモリ１２８は、例えば、フラッシュメモリ等により構成され、衝撃やディスク１４９の傷、汚れ等の影響でディスク１４９への書き込みができなかった場合に、書き込みできなかったデータや、そのデータの記録位置を示すアドレスや記録範囲の情報、及びディスク１４９のデータが正しく記録されている位置を示すアドレスや記録範囲の情報を記録するための記憶領域として利用される。
【００３８】
再び図１を参照すると、制御部１３０は、処理装置１３１と、ＲＯＭ（Ｒｅａｄ  Ｏｎｌｙ  Ｍｅｍｏｒｙ）１３３と、ＲＡＭ（Ｒａｎｄｏｍ  Ａｃｃｅｓｓ  Ｍｅｍｏｒｙ）１３４と、操作入力部１４１を接続するための操作入力インターフェース１３５と、表示部１４２を接続するための表示制御部１３６と、メモリカード１４３を装填するためのメモリカードインターフェース１３７と、撮影時刻を記録するための時計回路１３８とがシステムバス１３２を介して接続されることにより構成される。
【００３９】
処理装置１３１は、制御部１３０全体の処理を制御するためのものであり、作業領域としてＲＡＭ１３４を使用する。ＲＯＭ１３３には、カメラ部１１０を制御するためのプログラムや、記録再生処理部１２０における画像信号や音声信号の記録制御及び再生制御等を実行するためのプログラムが格納されている。
【００４０】
操作入力インターフェース１３５に接続される操作入力部１４１には、撮影モードと再生モード等他のモードとを切り替えるためのモード切替キー、ズーム調整キー、露出調整のためのキー、シャッターキー、動画撮影用キー、表示部１４２における表示調整キー等の複数のキーが設けられている。操作入力インターフェース１３５は、操作入力部１４１からの操作信号を処理装置１３１に伝達し、処理装置１３１は、操作入力部１４１においていずれのキーが操作されたかを判別してその判別結果に応じた制御処理を行う。
【００４１】
表示制御部１３６に接続される表示部１４２は、例えばＬＣＤ（Ｌｉｑｕｉｄ  Ｃｒｙｓｔａｌ  Ｄｉｓｐｌａｙ）等により構成され、処理装置１３１の制御の下に、カメラ部１１０からの画像信号やディスク１４９から読み出された画像信号を表示する。
【００４２】
メモリカードインターフェース１３７は、記録再生部１２２または記録復元部１２４からの圧縮データをメモリカード１４３に書き込む。また、メモリカードインターフェース１３７は、メモリカード１３４から圧縮データを読み出して記録再生部１２２または記録復元部１２４に供給する。時計回路１３８は、年、月、日、時間、分、秒等で表される時間情報を生成する。
【００４３】
以上、ＤＶＤビデオカメラ１００の構成について説明した。次に、本実施形態における情報記録処理について図３を参照して説明する。図３は、本実施形態にかかるＤＶＤビデオカメラ１００における情報記録処理の流れを示すフローチャートである。なお、以下の説明において、データが正しく記録できなかったディスクをディスク１４９ａ、データ修復後のディスクをディスク１４９ｂと呼ぶ。
【００４４】
まず、ユーザが操作入力部１４１に設けられている動画撮影のためのキーを操作することによって動画撮影が開始される（ステップＳ２００）。ここでは、ＤＶＤビデオカメラ１００には、ディスク１４９ａが装填されている。撮影開始操作により、カメラ部１１０からの画像信号及び音声信号が符号化／復号回路１２１に入力され、符号化／復号回路１２１は、画像信号及び音声信号を符号化し、多重化して圧縮データに変換する。
【００４５】
記録可否判定部１２３は、撮影が開始されるとディスク１４９ａが記録可能であるか否かを判定する（ステップＳ２０２）。例えば、ＤＶＤビデオカメラ１００に対して衝撃が加えられたり、あるいは、ディスク１４９ａ上に傷や汚れ等が存在した場合、記録可否判定部１２３は、ディスク１４９ａが記録不可であると判定し、記録再生部１２２に通知する（ステップＳ２０２：Ｎｏ）。一方、衝撃やディスク１４９ａの傷等がなく、ディスク１４９ａへの記録が正常に行える場合、記録可否判定部１２３は、ディスク１４９ａが記録可能であると判定して記録制御部１２２に通知する（ステップＳ２０２：Ｙｅｓ）。
【００４６】
ステップＳ２０２において、ディスク１４９ａが記録可能であると判定された場合、記録再生部１２２は、符号化／復号回路１２１により変換された圧縮データを、ディスクインターフェース１２５を通じてディスク１４９ａに書き込む（ステップＳ２０４）。一方、ステップＳ２０２において、ディスク１４９ａが記録不可であると判定された場合、記録再生部１２２は、圧縮データを不揮発性メモリ１２８に記録する（ステップＳ２０６）。記録再生部１２２は、記録可否判定部１２３によって記録不可であると判定される間、符号化／復号回路１２１から入力される圧縮データを不揮発性メモリ１２８に記録する。
【００４７】
その後、ステップＳ２０４で不揮発性メモリ１２８に書き込んだデータの、ディスク１４９ａに記録すべき位置やデータの範囲を示す情報を不揮発性メモリ１２８に書き込む（ステップＳ２０８）。例えば、ディスク１４９ａのアドレス１０〜２０の位置に書き込み中に記録可否判定部１２３によって記録不可であると判定された場合、記録再生部１２２は、ステップＳ２０６でアドレス１０〜２０に書き込むべきデータを不揮発性メモリ１２８に記録し、ステップＳ２０８で、ステップ２０６で記録されたデータがアドレス１０〜２０のデータであることを不揮発性メモリ１２８に記録する。
【００４８】
ステップＳ２０４またはステップＳ２０８の記録終了後、ディスク１４９ａへの記録が継続している場合は（ステップＳ２１０：Ｎｏ）、ステップＳ２０２に戻ってステップＳ２０２〜Ｓ２１０の処理を繰り返す。動画撮影が終了してディスク１４９ａへの記録が終了した場合は（ステップＳ２１０：Ｙｅｓ）、ステップＳ２０４でディスク１４９ａに記録したデータの記録位置や記録されたデータの範囲を示す情報を不揮発性メモリ１２８に書き込む（ステップＳ２１２）。例えば、上述した例のようにディスク１４９ａのアドレス１０〜２０の位置に書き込まれるべきデータが不揮発性メモリ１２８に書き込まれ、その他のデータ、例えば、ディスク１４９ａのアドレス０〜９とアドレス２１〜４０の位置には正常にデータが書き込まれた場合、記録再生部１２２は、正常に書き込まれたデータのアドレス０〜９及びアドレス２１〜４０を不揮発性メモリ１２８に記録する。
【００４９】
なお、ステップＳ２１２の処理は、ディスク１４９ａへの記録終了後、ディスク１４９ａをＤＶＤビデオカメラ１００から排出するまでの間に行われ、例えば、ディスク１４９ａを排出する操作をユーザが行ったタイミングでステップＳ２１２の処理が行われるようにしてもよい。
【００５０】
以上のような処理により、ディスク１４９ａへのデータの記録が行われる。次に、図４を参照して、ステップＳ２００〜Ｓ２１２の処理でディスク１４９ａに記録されるべきデータが１枚のディスクに記録されるようにするための記録復元処理について説明する。図４は、本実施形態にかかるＤＶＤビデオカメラ１００における記録復元処理の流れを示すフローチャートである。
【００５１】
まず、ＤＶＤビデオカメラ１００に装填されているディスク１４９ａの記録復元が開始される（ステップＳ２２０）。これは、ユーザが操作入力部１４１に設けられている記録復元のためのキーを操作することによって行われてもよい。次いで、記録復元部１２４は、ディスク１４９ａに記録されているデータを、ＤＶＤビデオカメラ１００内の記録媒体にコピーする（ステップＳ２２２）。
【００５２】
ステップＳ２２２の処理が完了したら、ＤＶＤビデオカメラ１００に装填されるディスク１４９ａを排出し、ユーザの操作によって別のディスク１４９ｂが装填される（ステップＳ２２４）。ここで装填されるディスク１４９ｂは何も記録されていないディスクであってもよいし、既に記録済みのディスクであって、ディスク１４９ａに記録されていたデータを記録する十分な空き容量があるディスクであってもよい。また、ステップＳ２２４でディスク１４９ｂを装填後に、記録復元部１２４はディスク１４９ｂの空き容量が十分であるか確認するようにしてもよい。
【００５３】
次いで、記録復元部１２４は、不揮発性メモリ１２８に記録されている記録位置の情報を参照して、ディスク１４９ｂにデータを記録する。まず、記録復元部１２４は、不揮発性メモリ１２８からディスク１４９ａに正常に書き込まれていたデータの記録位置を参照する（ステップＳ２２６）。上述した例では、アドレス０〜９及びアドレス２１〜４０が正常に書き込まれたデータの記録位置であるから、記録復元部１２４は、ディスク１４９ｂの同じアドレス（アドレス０〜９及びアドレス２１〜４０）の位置に、ステップＳ２２２でディスク１４９ａからコピーされたデータを書き込む（ステップＳ２２８）。
【００５４】
次いで、記録復元部１２４は、不揮発性メモリ１２８に代替記録されている、ディスク１４９ａへの記録に失敗したデータの記録位置を参照する（ステップＳ２３０）。上述した例では、アドレス１０〜アドレス２０が記録に失敗したデータの記録位置であるから、記録復元部１２４は、ディスク１４９ｂのアドレス１０〜アドレス２０の位置に、不揮発性メモリ１２８に代替記録されたデータを書き込む（ステップＳ２３２）。
【００５５】
以上のような処理により、記録中に何らかの原因でディスクに正しく記録できなかったデータを正しい順序で別のディスクに記録することができる。また、上記の方法によれば、コントロールデータのように、記録に失敗したデータを代替記録するための別の領域を持たないデータであっても、記録を修復することができ、従来の方法では修復ができなかったような場合でもディスクのデータを修復することが可能となる。
【００５６】
以上、添付図面を参照しながら本発明の好適な実施形態について説明したが、本発明は係る例に限定されないことは言うまでもない。当業者であれば、特許請求の範囲に記載された範疇内において、各種の変更例または修正例に想到し得ることは明らかであり、それらについても当然に本発明の技術的範囲に属するものと了解される。
【００５７】
例えば、上記実施形態では、ディスクへの記録を行うための記録再生部１２２及び記録可否判定部１２３と、記録復元を行う記録復元部１２４とが物理的に一体の装置に備えられた例を用いて説明したが、本発明はかかる例に限定されない。例えば、記録再生部１２２及び記録可否判定部１２３と記録復元部１２４とが、物理的に分離された別々の装置に備えられていてもよい。
【００５８】
例えば、上述のＤＶＤビデオカメラ１００の例であれば、ＤＶＤビデオカメラ１００は記録再生部１２２及び記録可否判定部１２３を備え、記録復元部１２４を含むパーソナルコンピュータ等の他の情報処理装置によって、図４に示した情報復元処理が行われるようにしてもよい。この場合、ＤＶＤビデオカメラ１００において不揮発性メモリ１２８に記録されたデータを、例えばメモリカード１４３等の着脱可能な記録媒体に記録し、ディスク１４９ａ及びメモリカード１４３に記録されたデータをパーソナルコンピュータに取り込むことによって情報復元処理を実行することができる。
【００５９】
また、上記実施形態では、情報記録装置の例としてＤＶＤビデオカメラの例を用いて説明したが、本発明はかかる例に限定されない。本発明にかかる情報処理装置は、音声や映像等のデータを光ディスクに記録するための装置であればどのようなものであってもよく、例えば、ＤＶＤレコーダやＣＤレコーダ、ＤＶＤやＣＤへの記録機能を有するパーソナルコンピュータ等であってもよい。
【図面の簡単な説明】
【００６０】
【図１】本発明の一実施形態にかかる情報記録装置としてのＤＶＤビデオカメラの概略構成を示す図である。
【図２】同実施形態にかかるＤＶＤビデオカメラの記録再生処理部の概略構成を示す図である。
【図３】本発明の一実施形態にかかるＤＶＤビデオカメラにおける情報記録処理の流れを示すフローチャートである。
【図４】本発明の一実施形態にかかるＤＶＤビデオカメラにおける記録復元処理の流れを示すフローチャートである。
【図５】ＤＶＤメディアの記録領域の構成を示した図である。
【図６】各ＤＶＤメディアのリードイン領域の構成の一部を示した図である。
【符号の説明】
【００６１】
１００    ＤＶＤビデオカメラ
１１０    カメラ部
１１１    光学ブロック
１１２    カメラ制御部
１１３    信号変換器
１１４    撮像信号処理部
１１５    音声入力部
１１６    音声信号処理部
１２０    記録再生処理部
１２１    符号化／復号回路
１２２    記録再生部
１２３    記録可否判定部
１２４    記録復元部
１２５    ディスクインターフェース
１２６    出力処理部
１２７    バッファメモリ
１２８    不揮発性メモリ
１３０    制御部
１３１    処理装置
１３２    システムバス
１３３    ＲＯＭ
１３４    ＲＡＭ
１３５    操作入力インターフェース
１３６    表示制御部
１３７    メモリカードインターフェース
１３８    時計回路
１４１    操作入力部
１４２    表示部
１４３    メモリカード
１４９    ディスク
【図１】
2009080880.tif 000003
【図２】
2009080880.tif 000004
【図３】
2009080880.tif 000005
【図４】
2009080880.tif 000006
【図５】
2009080880.tif 000007
【図６】
2009080880.tif 000008